(57)【要約】【課題】本発明の課題は、根と植栽土がしっかりと保持され、崩れることがない簡単な植栽物の保護具を提供することである。【解決手段】本発明による輸送時植栽物の保護具では、鉢の開口部に嵌る形状を有する板状体で、植栽物を通す穴が備えられ、植栽物を通せるように穴から板状体の周辺端に向かい切り込みがあるこの板状体と、この板状体を植栽土表面に固定する或いは押し付け固定する固定具とを備えている。【選択図】図１
2014103858.tif 000002
【特許請求の範囲】
【請求項１】
植栽物を通す穴が備え、前記植栽物を通せるように前記穴から周辺端に向かい切り込みがあり、前記植栽物を植えた鉢の開口部に嵌る形状を有する板状の板状体と、前記板状体を前記植栽物を植え込んだ鉢内の前記植栽土表面に被せた状態で、前記板状体を押え、これを前記鉢との間で固定する固定具を備えたことを特徴とする輸送時植栽物の保護具。
【請求項２】
前記固定具は、前記板状体の縁に縁取り状に立ち上り、前記鉢との間で互いに支持し合うための立ち上がり部を備えているか、又は、前記鉢の縁に嵌るＵ又はＶ字型の曲がりを持った縁嵌り部の一端から伸びた棒状又は平板状の押さえ部を備えているか、又は、上面が平坦な浅い帽子の形状であり、中央に植栽物の幹を通す穴を有し、穴から周辺に切れ込みを備え、前記鉢の開口側を覆うカバー体であることを特徴とする請求項１記載の輸送時植栽物の保護具。
【請求項３】
前記固定具は、更に前記立ち上がり部に前記鉢の縁との間で押さえる止め具を備えたことを特徴とする請求項１又は請求項２のいずれか１つに記載の輸送時植栽物の保護具。
【請求項４】
前記板状体には、表裏を貫通する空気又は水を通すための穴又は溝を備えたことを特徴とする請求項１から請求項３のいずれか１つに記載の輸送時植栽物の保護具。
【請求項５】
前記板状体の鉢の土に接する側には水を保持し乾燥を防ぐための防水マットを備えたことを特徴とする請求項１から請求項４のいずれか１つに記載の輸送時植栽物の保護具。
【請求項６】
前記鉢の縁の一部と前記保護具の一部が接続された状態である「鉢付き」を特徴とする請求項１から請求項５のいずれか１つに記載の輸送時植栽物の保護具。
【請求項７】
植栽物を通す穴が備え、前記植栽物を通せるように前記穴から周辺端に向かい切り込みがあり、前記植栽物を植えた鉢の開口部に嵌る形状を有する板状の板状体を前記植栽物を植え込んだ鉢内の前記植栽土表面に被せた後、前記板状体を押え、これを前記鉢との間で固定する固定具で固定して、前記植栽物の根と前記植栽土を崩れることなく輸送することを特徴とする植栽物の輸送方法。
【請求項８】
前記固定具で固定した後、前記植栽物の幹枝葉部をカバーする覆いで覆うことで、前記幹枝葉部を保護したことを特徴とする請求項７記載の植栽物の輸送方法。
【発明の詳細な説明】
【技術分野】
【０００１】
本発明は、苗木等の植栽物を輸送する場合に、植栽土が崩れず、植栽物が傷つきにくい簡単な保護を行う保護具とこれを用いた植栽物の輸送方法に関するものである。
【背景技術】
【０００２】
従来、このような輸送を行う場合は、従来は、植栽物を鉢ごとダンボール箱に入れて、衝撃緩衝のため、丸めた新聞紙や、プチシートを入れて、倒れ禁止の表示をして輸送したりしていた。この場合には、倒れや振動により植栽土が崩れたりしていた。
これを回避するための提案として特許文献１では、図５の５−Ａに示すようなプラスチックフィルムの包装材が示され、５−Ｂのように使用することが示された。根元で縛ってあるので、植栽土が外にこぼれることはないが、縛った中で崩れてしまい、根と植栽土の付きが解かれたまま輸送される恐れが残り、植栽物が弱化する欠点を有していた。
【先行技術文献】
【特許文献】
【０００３】
【特許文献１】実用新案登録第３０２３９２４号
【発明の概要】
【発明が解決しようとする課題】
【０００４】
以上のような従来の欠点を回避して、根と植栽土がしっかりと保持され、崩れることがない簡単な植栽物の保護具を提供することである。
【課題を解決するための手段】
【０００５】
本発明の輸送時植栽物の保護具は、植栽物を通す穴が備え、植栽物を通せるように穴から周辺端に向かい切り込みがあり、植栽物を植えた鉢の開口部に嵌る形状を有する板状の板状体と、板状体を植栽物を植え込んだ鉢内の植栽土表面に被せた状態で、板状体を押え、これを鉢との間で固定する固定具を備えている。
以下、請求項に沿って記述する。
【０００６】
請求項１記載の発明は、輸送時植栽物の保護具であって、
植栽物を通す穴が備え、前記植栽物を通せるように前記穴から周辺端に向かい切り込みがあり、前記植栽物を植えた鉢の開口部に嵌る形状を有する板状の板状体と、前記板状体を前記植栽物を植え込んだ鉢内の前記植栽土表面に被せた状態で、前記板状体を押え、これを前記鉢との間で固定する固定具を備えたことを特徴とする。
【０００７】
請求項２記載の発明は、請求項１記載の輸送時植栽物の保護具において、前記固定具は、前記板状体の縁に縁取り状に立ち上り、前記鉢との間で互いに支持し合うための立ち上がり部を備えているか、又は、前記鉢の縁に嵌るＵ又はＶ字型の曲がりを持った縁嵌り部の一端から伸びた棒状又は平板状の押さえ部を備えているか、又は、上面が平坦な浅い帽子の形状であり、中央に植栽物の幹を通す穴を有し、穴から周辺に切れ込みを備え、前記鉢の開口側を覆うカバー体であることを特徴とする。
【０００８】
請求項３記載の発明は、請求項１又は請求項２のいずれか１つに記載の輸送時植栽物の保護具において、前記固定具は、更に前記立ち上がり部に前記鉢の縁との間で押さえる止め具を備えたことを特徴とする。
【０００９】
請求項４記載の発明は、請求項１から請求項３のいずれか１つに記載の輸送時植栽物の保護具において、前記板状体には、表裏を貫通する空気又は水を通すための穴又は溝を備えたことを特徴とする。
【００１０】
請求項５記載の発明は、請求項１から請求項４のいずれか１つに記載の輸送時植栽物の保護具において、前記板状体の鉢の土に接する側には水を保持し乾燥を防ぐための防水マットを備えたことを特徴とする。
【００１１】
請求項６記載の発明は、請求項１から請求項５のいずれか１つに記載の輸送時植栽物の保護具において、前記鉢の縁の一部と前記保護具の一部が接続された状態である「鉢付き」を特徴とする。
【００１２】
請求項７記載の発明は、植栽物の輸送方法であって、
植栽物を通す穴が備え、前記植栽物を通せるように前記穴から周辺端に向かい切り込みがあり、前記植栽物を植えた鉢の開口部に嵌る形状を有する板状の板状体を前記植栽物を植え込んだ鉢内の前記植栽土表面に被せた後、前記板状体を押え、これを前記鉢との間で固定する固定具で固定して、前記植栽物の根と前記植栽土を崩れることなく輸送することを特徴とする。
【００１３】
請求項８記載の発明は、請求項７記載の植栽物の輸送方法において、
前記固定具で固定した後、前記植栽物の幹枝葉部をカバーする覆いで覆うことで、前記幹枝葉部を保護したことを特徴とする。
【発明の効果】
【００１４】
以上の様に構成されているので、本発明による輸送時植栽物の保護具では、鉢の開口部に嵌る形状を有する板状体で、植栽物を通す穴が備えられ、植栽物を通せるように穴から板状体の周辺端に向かい切り込みがあるこの板状体と、この板状体を植栽土表面に固定する或いは押し付け固定する固定具とを備えている。
【図面の簡単な説明】
【００１５】
【図１】本発明に係る輸送時植栽物の保護具の一実施態様を示す図である。
【図２】本発明に係る輸送時植栽物の保護具の使用状態の一実施態様を示す図である。
【図３】本発明に係る輸送時植栽物の保護具使用状態の別の実施態様を示す図である。
【図４】本発明に係る輸送時植栽物の保護具を使用して輸送箱に収納した状態の例を示す図である。
【図５】従来の保護具の例と使用状態を示す図である。
【発明を実施するための形態】
【００１６】
販売等のため輸送される時の植栽物は、プラスチックやビニールの鉢に植えられていることが多い。植えられた状態では、植栽土は、植栽物の根を覆っているが、外に露出しているので、振動や倒れにより、ややもすれば、根と植栽土の密着状態が損なわれる恐れがある。本発明の輸送時植栽物の保護具は、鉢の開口部に嵌る形状を有する板状体で、植栽物を通す穴が備えられ、植栽物を通せるように穴から板状体の周辺端に向かい切り込みがあるものであり、この板状体と、この板状体を植栽土表面に固定する或いは押し付け固定する固定具とを備えている。
鉢に対して植栽土が動かないように、鉢に入っている植栽土を覆い、場合によっては押し付ける状態で覆うので、根と植栽土の密着状態が損なわれることがない。
以下図に沿って説明する。
【００１７】
図１は、本発明に係る輸送時植栽物の保護具の一実施態様を示す図である。
輸送時植栽物の保護具１００は、板状体１１０と固定具１２０を有しているので、１−Ａの板状体１１０と１−Ｂの固定具１２０又は１−Ａの板状体１１０と１−Ｃの固定具１２０を組み合わせたものか又は、１−Ｄのように板状体１１０に一体になった固定具１２０を有するものになる。先ず１−Ａを説明する。１−Ａに示すのは、板状体１１０であって、
板状体１１０の上面１１１と下面１１２の内、すくなくとも下面１１２が鉢の開口部に嵌る形状を有し、植栽物を通すため板状体１１０の上面１１１と下面１１２を貫通する穴１１３が備えられ、更に、穴から板状体の周辺端に向かい切り込み１１４があるものである。
尚、単なる切込みだけでなく、切り込まれた両側の板が互いに重ねあわせになる重ね合わせ部を備える方が好都合である。（１−Ａの図では、重ね合わせ部はない場合である。）
【００１８】
１−Ｂでは、固定具１２０の一例である。固定具としては、市販のクリップなども使用できるが、１−Ｂでは、鉢の縁に嵌るＵ又はＶ字型の曲がりを持った縁嵌り部１２１の一端から伸びた棒状又は平板状の押さえ部１２２を有している。鉢の開口部に板状体１１０を嵌めた後、この固定具１２０の押さえ部１２２で板状体１１０を押さえるように置き、縁嵌り部１２１を鉢の縁に嵌め込み使用する。場合によっては、縁嵌り部１２１と鉢の縁の間、又は、押さえ部１２２と板状体１１０の間をステップラー等で止めるとよい。固定具１２０は、複数個使ってもよいし、押さえ部１２２の面積が大きければ、１個でも良い。
【００１９】
１−Ｃの固定具１２０は、１−Ａの板状体１１０を鉢の開口部に嵌め込んだ後、これに被せて用いるカバーであり、カバー体１２３は、上面が平坦な浅い帽子の形状であり、中央に植栽物の幹を通す穴を有し、穴から周辺に切れ込みがある。この例では、切れ込んだ両側は重ね合わせのための重複部がある。帽子の側部は、鉢の外側に重なるところであって、鉢への固定は、この例では、紐１２４で行う図であるが、特に紐にこだわらない。
【００２０】
１−Ｄでは、板状体１１０に縁取り状の固定具１２０が一体になっているので、これだけで固定できる。１−Ｄでは、１−Ｃのカバー体１２３を上下逆にした形状となっているが、帽子の側部１２５は、固定具１２０の役割をし、鉢の開口に嵌る大きさになっている。底面が１−Ａで説明した板状体１１０になっている。鉢の開口にこの保護具１００をはめ込んだ後、側部１２５と鉢の縁が合わさっているので、この間をクリップ止めやステップラー止めを行えば容易に固定できる。１−Ｅでは、１−Ｄのものに、鉢の縁との間で押さえるホック等の止め具を備えたものを示す。１−Ｆでは、１−Ｄ又は１−Ｅのものが備わった鉢を示している。これは、この中に植栽物を植えてから出荷に供するに便利である。
１−Ｇでは、１−Ｄのものに、板状体１１０に空気・水を通過する穴や溝を備えている。更に土に接触する側に、保水用のマットを備える例であり、空気と水が穴や溝から入り、
水は、マットに含水されて、土の乾燥を防ぐことができるので極めて都合が良い。止め具や穴・溝、保水用マットは組合せ自在に備えることが出来る。
【００２１】
図２は、本発明に係る輸送時植栽物の保護具の使用状態の一実施態様を示す図である。
１−Ａの板状体１１０と１−Ｃの固定具１２０を適用した場合の例を示している。
２−Ａでは、鉢２０１に植栽土２０２によって植栽物２０３が植え込まれている鉢植え２００を示している。これに板状体１１０を鉢２０１の開口２０４に嵌め込んで、少々押し付け気味にした状態が２−Ｂである。更に、これに、１−Ｃのカバー体１２３を被せた状態が２−Ｃである。更に、１−Ｃの紐１２４で結び固定するがこれが、２−Ｄ、２−Ｅとなっている。紐１２４とカバー体１２３には互いを結合する結合具１２６が付いているが、これにこだわらず一体になっていてもよい。尚、２−Ｂの状態から、１−Ｂの固定具１２０や、市販のクリップで固定しても良いことは当然である。
【００２２】
図３は、本発明に係る輸送時植栽物の保護具使用状態の別の実施態様を示す図である。
１−Ｄに示す保護具１００を用いた例である。
３−Ａにおいて、鉢植え２００の開口に保護具１００を嵌め込む。その結果が３−Ｂである。３−Ｃでは、ビニル鉢である場合には、固定具１２０と鉢２０１の縁との間を、板状体１１０を押し付けながらステップラー止め３０１を行う。ステップラー止めが出来ない場合には、クリップを使用できる。これにより、鉢植え２００が倒れたり、振動があっても、植栽土と植栽物の根は動くことがなく崩れない。この状態で箱詰めできるが、３−Ｄから３−Ｇには、植栽物の幹と枝葉の部分を保護する覆いをする例である。３−Ｃの状態から３−Ｄにおいて、幹枝葉部をカバーする覆い３０２（植栽物の高さに応じて長さが調節できるダンボールや、プラスティックで出来ていると好都合である）で覆った状態が３−Ｅである。３−Ｆには、レジ袋のようなビニル袋３０３を示すが、これを被せて縛るなど固定すると３−Ｇのようになり、覆い３０２が動かなくなるので、このまま送ることが出来る。又は、これを箱詰めして送ることも出来る。尚、覆い３０２を鉢に直接固定すれば、ビニル袋３０３のような結束物を新たに設ける必要はないことは当然である。
尚、２−Ｄの状態に覆い３０２を使用することも可能であることは当然である。
【００２３】
図４は、本発明に係る輸送時植栽物の保護具を使用して輸送箱に収納した状態の例を示す図である。図３の３−Ｃの状態で箱詰めしたのが、４−Ａであり、鉢側には、箱内でずれないようにスポンジ、丸めた新聞紙、プチシートなどの緩衝材で満たされている。
図３の３−Ｇの状態で箱詰めしたのが４−Ｂであり、４−Ａと同様に緩衝材で満たされている。尚、２−Ｄの状態や、１−Ａの板状体１１０に１−Ｂの固定具１２０を適用したもの又は、これに覆い３０２を使用したものを箱詰めしてもよい。このような保護具でカバーした状態での輸送は、輸送方法としても極めて好ましい。
【産業上の利用可能性】
【００２４】
以上のように本発明による輸送時植栽物の保護具とこれを用いた植栽物の輸送方法は、送付時等に根と植栽土がしっかりと保持され、崩れることがないので品質を維持した送付が可能となり産業上利用して効果が極めて大きい。
【符号の説明】
【００２５】
１００  保護具
１１０  板状体
１１１  上面
１１２  下面
１１３  穴
１１４  切り込み
１２０  固定具
１２１  縁嵌り部
１２２  押さえ部
１２３  カバー体
１２４  紐
１２５  側部
１２６  結合具
２００  鉢植え
２０１  鉢
２０２  植栽土
２０３  植栽物
２０４  開口
３０１  ステップラー止め
３０２  覆い
３０３  ビニル袋
【図１】
2014103858.tif 000003
【図２】
2014103858.tif 000004
【図３】
2014103858.tif 000005
【図４】
2014103858.tif 000006
【図５】
2014103858.tif 000007